(57)【要約】  【課題】使用者の下肢空間Ｌを好適に使用可能としながらも、天板１の上に広くて快適な使用領域を確保する。  【解決手段】天板１の一部を開口する開口部１１と、当該開口部１１と連通する収納部３とを備えるテーブルＴにおいて、前記収納部３を前記天板下方の下肢空間Ｌに配設すると共に、当該収納部３を可撓性を有する素材にて構成することを特徴とする。  【選択図】図１
2008119148.tif 000002
【特許請求の範囲】
【請求項１】
天板の一部を開口する開口部と、当該開口部と連通する収納部とを備えるテーブルにおいて、
前記収納部を前記天板下方の下肢空間に配設すると共に、当該収納部を可撓性を有する素材にて構成することを特徴とするテーブル。
【請求項２】
前記収納部に収納した収納物を、前記天板下方から出し入れ可能に開放する開放部を設けていることを特徴とする請求項１記載のテーブル。
【請求項３】
前記開放部を前記天板の使用端側に向けて開放していることを特徴とする請求項２記載のテーブル。
【請求項４】
前記開放部を閉塞可能に構成していることを特徴とする請求項２又は３記載のテーブル。
【請求項５】
上縁を伸縮性を有する素材にて構成し、当該上縁を前記天板の下面に当接させる方向に付勢した状態で取り付けた前記収納部を具備し、
前記収納部の上縁を天板から離間する方向に伸ばして、当該上縁と天板の下面との間に前記開放部を形成すると共に、
前記離間状態の解除に伴って当該上縁を前記天板の下面に当接させて前記開放部を閉塞可能に構成していることを特徴とする請求項４記載のテーブル。
【請求項６】
前記収納部を、前記開口部から引き込んだ配線を受ける配線受け部として利用可能に構成していることを特徴とする請求項１乃至５記載のテーブル。
【請求項７】
前記開口部を閉塞する蓋体を具備し、
当該蓋体を前記開口部に対して着脱可能としていることを特徴とする請求項１乃至６記載のテーブル。
【請求項８】
前記蓋体に前記収納部と連通する配線挿通孔を設けていることを特徴とする請求項７記載のテーブル。
【請求項９】
前記蓋体の取り付け状態において、当該蓋体の上面と前記天板の上面とが略面一になるように構成していることを特徴とする請求項７又は８記載のテーブル。
【請求項１０】
前記蓋体に収納物を収納可能な蓋体収納部を設け、
前記蓋体の上面と前記天板の上面とが略面一になるように取り付ける第一の取り付け状態と、
前記蓋体収納部へ収納物を出し入れする出し入れ口を天板上に表出させる状態に取り付ける第二の取り付け状態とを選択可能に構成していることを特徴とする請求項９記載のテーブル。
【請求項１１】
前記蓋体が、前記開口部を閉塞する閉塞板と、当該閉塞板の下面から起立する起立壁とを具備し、
当該閉塞板の上面と前記天板の上面とが略面一になるように取り付ける第一の取り付け状態と、
当該第一の取り付け状態から蓋体を反転させて、前記閉塞板と前記起立壁にて形成した前記蓋体収納部へ収納物を出し入れする出し入れ口を、天板上に表出させる状態に取り付ける第二の取り付け状態とを選択可能に構成していることを特徴とする請求項１０記載のテーブル。
【請求項１２】
前記開口部を前記天板の略中央に設けていることを特徴とする請求項１乃至１１記載のテーブル。
【請求項１３】
前記天板を支持する脚体を天板に取り付ける止着具と同一の止着具を用いて前記収納部を前記天板の下面に取り付けることを特徴とする請求項１乃至１２記載のテーブル。
【請求項１４】
前記収納部を網にて構成していることを特徴とする請求項１乃至１３記載のテーブル。
【請求項１５】
前記収納部を着脱可能に構成していることを特徴とする請求項１乃至１４記載のテーブル。
【発明の詳細な説明】
【技術分野】
【０００１】
本発明は、書類などの収納部を具備するテーブルに関するものである。
【背景技術】
【０００２】
従来、事務机などは、天板の上に載置したパーソナルコンピュータの配線等を整理するために、天板下方の反使用者側に配線ダクトを設け、配線を天板に設けた配線挿通孔から配線ダクトへ導入可能に構成している。
【０００３】
一方、会議用のテーブルなどは、複数人で同時に使用可能とする必要があるため、前記配線ダクトなどを設けずに、天板の全周縁を使用端としている。
（例えば、特許文献１を参照）。
【特許文献１】特開２０００−１６６６５３号
【発明の開示】
【発明が解決しようとする課題】
【０００４】
しかし、前記事務机の配線ダクトは、板金製などの硬いもので形成されているため使用者の足が当らない位置に設けなければならず、設置場所が限定されている。
【０００５】
また、前記会議用のテーブルは、配線等の収納部が無い上に複数人で使用することが多いため、天板の上が直ぐに書類や配線などで煩雑となり、作業効率を低下させる要因となっている。
【課題を解決するための手段】
【０００６】
そこで本願は、天板の一部を開口する開口部と、当該開口部と連通する収納部とを備えるテーブルにおいて、前記収納部を前記天板下方の下肢空間に配設すると共に、当該収納部を可撓性を有する素材にて構成することを特徴とする。
【０００７】
以上の構成を採用することにより、例えば、天板上に出しておく必要のない配線や資料などを前記収納部へと収納して、天板上に広くて快適な使用領域を確保することができる。また、当該収納部を下肢空間に設けていることにより、天板上に収納棚などを設ける必要が無くなり、天板上の使用領域を狭めることがない。加えて、可撓性を有する素材にて前記収納部を構成しているため、当該収納部に使用者の足が当った際にも怪我をする心配がなく、収納部の設置場所の自由度を飛躍的に向上させることができる。更には、収納物の形に応じて好適な形状に変形させることも可能である。
【０００８】
また、例えば、収納部に片付けた配線のプラグを取り出して床面に設けたコンセント等に繋ぐためには、前記収納部に収納した収納物を、前記天板下方から出し入れ可能に開放する開放部を設けることが望ましい。
【０００９】
更に、前記開放部を前記天板の使用端側に向けて開放することにより、前記天板下方からの出し入れを容易に行える。
【００１０】
加えて、前記開放部を閉塞可能に構成していることにより、必要に応じて収納部を開放しない使用態様を選択することもできる。
【００１１】
具体的には、上縁を伸縮性を有する素材にて構成し、当該上縁を前記天板の下面に当接させる方向に付勢した状態で取り付けた前記収納部を具備し、前記収納部の上縁を天板から離間する方向に伸ばして、当該上縁と天板の下面との間に前記開放部を形成すると共に、前記離間状態の解除に伴って当該上縁を前記天板の下面に当接させて前記開放部を閉塞可能に構成することが望ましい。
【００１２】
このような構成とすることにより、前記開口部の開放状態と閉塞状態とを簡単に切り替えることが可能である。また、例えば、前記開放部から取り出した配線を前記天板の下面と収納部の上縁との間で保持することもできる。
【００１３】
更には、天板上にてパーソナルコンピュータ等の機器類を使用する際には、前記収納部を、前記開口部から引き込んだ配線を受ける配線受け部として利用可能に構成すると良い。
【００１４】
また、前記開口部を閉塞する蓋体を具備し、当該蓋体を前記開口部に対して着脱可能とすることで、資料などを前記収納部に収納した後には、前記蓋体により前記開口部を閉じて天板の上の使用領域を更に広げるなど、必要に応じて様々な使用態様を実現できる。
【００１５】
加えて、前記蓋体に前記収納部と連通する配線挿通孔を設けておくことにより、配線を収納部に片付けた状態で前記開口部を蓋体によりを閉めておくことができる。
【００１６】
更に、前記蓋体の取り付け状態において、当該蓋体の上面と前記天板の上面とが略面一になるように構成することで、天板の有効使用面積を可及的に広くすることができる。
【００１７】
また、前記蓋体に収納物を収納可能な蓋体収納部を設け、前記蓋体の上面と前記天板の上面とが略面一になるように取り付ける第一の取り付け状態と、前記蓋体収納部へ収納物を出し入れする出し入れ口を天板上に表出させる状態に取り付ける第二の取り付け状態とを選択可能に構成することが考えられる。
【００１８】
これにより、前記蓋体収納部を利用して、例えば、菓子やクリップなどの小物を取り出し易い状態で入れておくことができる。
【００１９】
また、簡易な構造にて、前記第一の取り付け状態と第二の取り付け状態とを選択可能とするためには、前記蓋体が、前記開口部を閉塞する閉塞板と、当該閉塞板の下面から起立する起立壁とを具備し、当該閉塞板の上面と前記天板の上面とが略面一になるように取り付ける第一の取り付け状態と、当該第一の取り付け状態から蓋体を反転させて、前記閉塞板と前記起立壁にて形成した前記蓋体収納部へ収納物を出し入れする出し入れ口を、天板上に表出させる状態に取り付ける第二の取り付け状態とを選択可能に構成することが望ましい。
【００２０】
また、例えば会議用のテーブルとして使用する場合には、各人が前記収納部を利用しやすい状態とするために、前記開口部を前記天板の略中央に設けると良い。
【００２１】
加えて、前記天板を支持する脚体を天板に取り付ける止着具と同一の止着具を用いて前記収納部を前記天板の下面に取り付けることにより、部品点数を削減することができる。
【００２２】
更に、前記収納部を網にて構成することで、前記収納部内の通気性を良くし、例えば前記収納部に収納したバッテリ等の熱を放熱することが可能となる。
【００２３】
また、前記収納部を着脱可能に構成することにより、必要の無い場合には、前記収納部を外しておくことができる。
【発明の効果】
【００２４】
以上説明したように本発明のテーブルによれば、例えば、天板上に出しておく必要のない配線や資料などを前記収納部へと収納して、天板上に広くて快適な使用領域を確保することができる。また、当該収納部を下肢空間に設けていることにより、天板上に収納棚を設ける必要などが無くなり、天板上の使用領域を狭めることがない。加えて、可撓性を有する素材にて前記収納部を構成しているため、当該収納部に使用者の足が当った際にも怪我をする心配がなく、収納部の設置場所の自由度を飛躍的に向上させることができる。更には、収納物の形に応じて好適な形状に変形させることも可能である。
【発明を実施するための最良の形態】
【００２５】
以下、本発明の一実施例を、図面を参照して説明する。
【００２６】
図１は、本発明に係るテーブルＴを示しており、図２は、同テーブルＴに設けた蓋体４を取り外した状態を示す斜視図である。
【００２７】
このテーブルＴは、図１に示すように、天板１と、当該天板１を支持する４本の脚体２とを具備してなり、当該脚体２と天板１により形成した天板下方の下肢空間Ｌに、前記天板１の一部を開口する開口部１１と連通する収納部３を配設すると共に、当該収納部３を可撓性を有する素材にて構成している。
【００２８】
また、本実施形態におけるテーブルＴは、様々な使用態様を実現するために、前記開口部１１を閉塞する着脱可能な蓋体４を具備している。
【００２９】
以下、各構成について詳述する。
【００３０】
天板１は、図４に示すように、例えば、１０５０ｍｍの一辺を有する平面視正方形をなすもので、対向する二対の４辺をそれぞれ使用端１ａ、１ｂ、１ｃ、１ｄとしている。その上面１Ａには、使用領域を形成しており、当該天板１の上面１Ａ側と下面１Ｂ側とを連通させる前記開口部１１を設けている。
【００３１】
開口部１１は、前記天板１の略中央位置、つまり、各使用端１ａ、１ｂ、１ｃ、１ｄから略等間隔の位置に設けている。この開口部１１は、平面視円形状をなしており、図２に示すように、その内周に前記蓋体４を掛止するための段差１１１を設けている。
【００３２】
各脚体２は、下端にアジャスタ２１を有した円筒体状のもので、図５に示すように、その上端と天板１の下面１Ｂとをブラケット２２を介してビスＶにより止着している。当該脚体２は、前記天板１の各隅部に取り付けており、各使用端１ａ、１ｂ、１ｃ、１ｄから前記下肢空間Ｌに対して使用者の足を挿入可能としている。
【００３３】
収納部３は、図５に示すように、前記開口部１１を天板下方から覆う方形のシート部材であり、伸縮性を有する枠状の上縁３１と、当該上縁３１の内方に一体形成した伸縮性の網からなる収納部本体３２とを具備している。
【００３４】
そして、図６に示すように、前記上縁３１を、前記天板１の下面１Ｂに当接させる方向に付勢した状態となるように、前記上縁３１の隅部を天板１の下面１Ｂに対して止着し、当該収納部３の下方にも使用者が足を挿入できるように構成している。また、当該収納部３を、前記開口部１１の真下に設けて前記開口部１１から引き込んだ配線Ｃを受ける配線受け部３として利用可能な状態に配設している。
【００３５】
尚、当該収納部３は、前記脚体２を天板１に取り付けるビスＶと同一のビスＶを用いて前記天板１に対して着脱可能に取り付けている。
【００３６】
更に、前記伸縮性の上縁３１を用いて、前記収納部３に収納した配線Ｃ等の収納物を前記天板下方から出し入れ可能に開放する開放部Ｏを設け、この開放部Ｏを閉塞可能に構成している。本実施形態においては、複数の開放部Ｏを各使用端１ａ、１ｂ、１ｃ、１ｄ側から出し入れ可能な位置に設けている。
【００３７】
詳述すると、図７に示すように、前記収納部３の上縁３１を天板１から離間する方向に伸ばして、当該上縁３１と天板１の下面１Ｂとの間に前記開放部Ｏを形成すると共に、図６に示すように、前記離間状態の解除に伴って当該上縁３１を前記天板１の下面１Ｂに当接させて前記開放部Ｏを閉塞可能に構成している。
【００３８】
蓋体４は、図８のＡ−Ａ線断面図に示すように、前記天板１の開口部１１を閉塞する閉塞板４１と、当該閉塞板４１の下面４１Ｂから起立する起立壁４２と、当該閉塞板４１と起立壁４２にて形成した蓋体収納部４３とを具備している。
【００３９】
当該蓋体４は、前記開口部１１に対して着脱可能に構成しており、図１、図８に示すように、前記閉塞板４１の上面４１Ａと前記天板１の上面１Ａとが略面一になるように当該蓋体４を前記開口部１１に取り付ける第一の取り付け状態と、当該第一の取り付け状態から蓋体４を反転させて、図３、図９に示すように、前記閉塞板４１と前記起立壁４２にて形成した蓋体収納部４３へ収納物を出し入れする出し入れ口４３１を、天板１の上に表出させる状態に取り付ける第二の取り付け状態とを選択可能に構成している。
【００４０】
閉塞板４１は、その下端面が前記開口部１１の段差１１１により係止され保持された状態で、当該開口部１１を閉塞し得る寸法のもので、前記開口部１１と同じく平面視円形状をなしている。また、図４に示すように、対向する位置に当該閉塞板４１の縁部を凹ませた一対の切欠部を設けている。当該切欠部は、第一の取り付け状態及び第二の取り付け状態においても前記収納部３と連通する配線挿通孔４１１として機能する。更に、当該切欠部は、指掛用の凹部として利用可能であり、当該蓋体４は、この切欠部に指を掛けて持ち上げることによって、天板１の上に持ち出すことができるようになっている。
【００４１】
尚、当該閉塞板４１は、上面を平らな面とすると共に、その厚み寸法を段差１１１の高さ寸法と略同一とすることで、図８に示すように、当該閉塞板４１の上面４１Ａを天板１の上に表出させる前記蓋体４の取り付け状態において、当該蓋体４の上面と前記天板１の上面１Ａとが略面一になるように構成している。
【００４２】
起立壁４２は、前記閉塞板４１の下面４１Ｂにおける側縁近傍部からの側縁に沿って環状を成すように突設しており、合成樹脂を用いて前記閉塞板４１と一体に成形している。
【００４３】
蓋体収納部４３は、菓子やクリップなどの小物の収納物を収納可能なものであり、前記閉塞板４１の下面４１Ｂと、当該閉塞板４１の側縁に沿って環状を成す前記起立壁４２の内面にて構成している。前記蓋体４を反転させて前記開口部１１に取り付けた状態においては、図９に示すように、前記起立壁４２が天板１の上面１Ａよりも上方に突出すると共に、当該蓋体収納部４３へ収納物を出し入れする出し入れ口４３１を上側に向けて開口する。
【００４４】
以上に説明したテーブルＴであると、例えば、天板１の上に出しておく必要のない配線Ｃや資料などを前記収納部３へと収納して、天板１の上に広くて快適な使用領域を確保することができる。また、当該収納部３を下肢空間Ｌに設けていることにより、天板１の上に収納棚などを設ける必要が無くなり、天板１の上の使用領域を狭めることがない。加えて、可撓性を有する素材にて前記収納部３を構成しているため、当該収納部３に使用者の足が当った際にも怪我をする心配がなく、収納部３の設置場所の自由度を飛躍的に向上させることができる。更には、収納物の形に応じて好適な形状に変形させることも可能である。
【００４５】
また、前記収納部３に収納した収納物を、前記天板下方から出し入れ可能に開放する開放部Ｏを設けているため、例えば、収納部３に片付けた配線Ｃのコンセントを天板下方から取り出して床面に設けたコンセント等に繋ぐことができる。
【００４６】
更に、前記開放部Ｏを前記天板１の使用端１ａ、１ｂ、１ｃ、１ｄ側に向けて開放していることにより、前記天板下方からの出し入れを容易に行える。
【００４７】
加えて、前記開放部Ｏを閉塞可能に構成していることにより、必要に応じて収納部３を開放しない使用態様を選択することもできる。
【００４８】
具体的には、上縁３１を伸縮性を有する素材にて構成し、当該上縁３１を前記天板１の下面１Ｂに当接させる方向に付勢した状態で取り付けた前記収納部３を具備し、前記収納部３の上縁３１を天板１から離間する方向に伸ばして、当該上縁３１と天板１の下面１Ｂとの間に前記開放部Ｏを形成すると共に、前記離間状態の解除に伴って当該上縁３１を前記天板１の下面１Ｂに当接させて前記開放部Ｏを閉塞可能に構成していることにより、前記開口部１１の開放状態と閉塞状態とを簡単に切り替えることが可能である。また、前記開放部Ｏから取り出した配線Ｃを前記天板１の下面１Ｂと収納部３の上縁３１との間で保持することもできる。
【００４９】
更には、前記収納部３を、前記開口部１１から引き込んだ配線Ｃを受ける配線受け部３として利用可能に構成しているため、天板１の上にてパーソナルコンピュータＰ等の機器類を好適に使用することができる。
【００５０】
また、前記開口部１１を閉塞する蓋体４を具備し、当該蓋体４を前記開口部１１に対して着脱可能としていることで、資料などを前記収納部３に収納した後には、前記蓋体４により前記開口部１１を閉じて天板１の上の使用領域を更に広げるなど、必要に応じて様々な使用態様を実現できる。
【００５１】
加えて、前記蓋体４に前記収納部３と連通する配線挿通孔４１１を設けておくことにより、配線Ｃを収納部３に片付けた状態で前記開口部１１を蓋体４によりを閉めておくことができる。
【００５２】
更に、前記蓋体４の取り付け状態において、当該蓋体４の上面と前記天板１の上面１Ａとが略面一になるように構成していることで、天板１の有効使用面積を可及的に広くすることができる。
【００５３】
また、前記蓋体４に収納物を収納可能な蓋体収納部４３を設け、前記蓋体４の上面と前記天板１の上面１Ａとが略面一になるように取り付ける第一の取り付け状態と、前記蓋体収納部４３へ収納物を出し入れする出し入れ口４３１を天板１の上に表出させる状態に取り付ける第二の取り付け状態とを選択可能に構成しているため、前記蓋体収納部４３を利用して、例えば、菓子やクリップなどの小物を取り出し易い状態で入れておくことができる。
【００５４】
また、前記蓋体４が、前記開口部１１を閉塞する閉塞板４１と、当該閉塞板４１の下面４１Ｂから起立する起立壁４２とを具備し、当該閉塞板４１の上面４１Ａと前記天板１の上面１Ａとが略面一になるように取り付ける第一の取り付け状態と、当該第一の取り付け状態から蓋体４を反転させて、前記閉塞板４１と前記起立壁４２にて形成した前記蓋体収納部４３へ収納物を出し入れする出し入れ口４３１を、天板１の上に表出させる状態に取り付ける第二の取り付け状態とを選択可能に構成しているため、簡易な構造にて、前記第一の取り付け状態と第二の取り付け状態とを選択可能に構成すること画できる。
【００５５】
また、前記開口部１１を前記天板１の略中央に設けることにより、例えば本実施形態のテーブルＴを会議用のテーブルＴなどとして使用する場合には、各人が前記収納部３を利用しやすい状態となる。
【００５６】
加えて、前記天板１を支持する脚体２を天板１に取り付ける止着具であるビスＶと同一のビスＶを用いて前記収納部３を前記天板１の下面に取り付けていることにより、部品点数を削減することができる。
【００５７】
更に、前記収納部３を網にて構成しているため、前記収納部３内の通気性を良くし、例えば前記収納部３に収納したバッテリ等の熱を放熱することが可能となる。
【００５８】
また、前記収納部３を着脱可能に構成していることにより、必要の無い場合には、前記収納部３を外しておくことができる。
【００５９】
なお、本発明は、以上に詳述した実施形態に限られるものではない。
【００６０】
例えば、本実施形態においては、伸縮性を有する収納部３の上縁３１を利用して前記開放部Ｏを収納部３の上縁３１と天板１の下面１Ｂとの間に形成しているが、天板下方に開口可能なファスナーなどの開閉部材を収納部３に取り付けて前記開放部Ｏを開閉可能に設けても良い。
【００６１】
更に、前記蓋体４に天板１の上に向けて開口する有底の蓋体収納部４３と、当該蓋体収納部４３の開口を開閉可能な窓部を設け、当該窓部を閉めて前記蓋体４の上面と前記天板１の上面１Ａとが略面一になるように取り付ける第一の取り付け状態と、前記窓部を開けて、前記蓋体収納部４３へ収納物を出し入れする出し入れ口４３１を天板１の上に表出させる状態に取り付ける第二の取り付け状態とを選択可能に構成することも考えられる。
【００６２】
また、前記収納部３は、小物が落ちないように開口の無い布等にて形成しても良い。
【００６３】
加えて、各使用端１ａ、１ｂ、１ｃ、１ｄの近傍に複数の収納部３を設けることも考えられる。
【００６４】
その他、各部の具体的構成についても上記実施形態に限られるものではなく、本発明の趣旨を逸脱しない範囲で種々変形が可能である。
【図面の簡単な説明】
【００６５】
【図１】本発明の一実施形態を示すテーブルＴの全体斜視図。
【図２】同実施形態のテーブルＴの蓋体４を取外した状態を示す斜視図。
【図３】同実施形態のテーブルＴの全体斜視図。
【図４】同実施形態のテーブルＴの平面図。
【図５】同実施形態のテーブルＴの底面図。
【図６】同実施形態のテーブルＴの正面図。
【図７】同実施形態の開放部Ｏを開放した状態を示すテーブルＴの正面図。
【図８】同実施形態の蓋体４を第一の取り付け状態にて取り付けた状態を示すテーブルＴのＡ−Ａ線断面図。
【図９】同実施形態の蓋体４を第二の取り付け状態にて取り付けた状態を示すテーブルＴのＡ−Ａ線断面図。
【符号の説明】
【００６６】
Ｌ・・・下肢空間
Ｏ・・・開放部
Ｔ・・・テーブル
Ｖ・・・止着具（ビス）
１・・・天板
１Ａ・・・天板の上面
１Ｂ・・・天板の下面
１ａ・・・使用端
１ｂ・・・使用端
１ｃ・・・使用端
１ｄ・・・使用端
２・・・脚体
３・・・収納部
４・・・蓋体
１１・・・開口部
３１・・・上縁
４１・・・閉塞板
４１Ａ・・・閉塞板の上面
４１Ｂ・・・閉塞板の下面
４２・・・起立壁
４３・・・蓋体収納部
４１１・・・配線挿通孔
４３１・・・出し入れ口
【図１】
2008119148.tif 000003
【図２】
2008119148.tif 000004
【図３】
2008119148.tif 000005
【図４】
2008119148.tif 000006
【図５】
2008119148.tif 000007
【図６】
2008119148.tif 000008
【図７】
2008119148.tif 000009
【図８】
2008119148.tif 000010
【図９】
2008119148.tif 000011